(57)【要約】      （修正有）【課題】仮設足場用枠組み構造体の水平鋼管に、備え付けのフックを引っ掛けて使用される仮設部材、例えば鋼製布板と称されるような足場板や梯子などが、風や振動などで不足に外れ落ちるのを防止する仮設部材の浮上り防止具を提供する。【解決手段】仮設足場用枠組み構造体の水平鋼管５に係脱自在なフック８ａ、８ｃ、９ｂ、９ｄを備えた足場板１などの浮上り防止具１４であって、前記フックに隣り合う位置で水平鋼管５に取り付けられるパイプクランプ１５と、このパイプクランプ１５に取り付けられたフック押え部材１６とから成り、パイプクランプ１５は、水平鋼管５を挟むベース部材１７と円弧形押え部材１９、及び締結用ボルトナット２１ａ、２１ｂから成り、フック押え部材１６は、ベース部材１５の偏平外側面に固定されて、パイプクランプ１５が挟持する水平鋼管５と平行に延出する。【選択図】図８
0003233589.tif 000002
【実用新案登録請求の範囲】
【請求項１】
仮設足場用枠組み構造体の水平鋼管に係脱自在なフックを備えた仮設部材の浮上り防止具であって、前記フックに隣り合う位置で前記水平鋼管に取り付けられるパイプクランプと、このパイプクランプに取り付けられたフック押え部材とから成り、前記パイプクランプは、前記水平鋼管を挟むベース部材と円弧形押え部材、及び締結用ボルトナットから成り、前記フック押え部材は、パイプクランプの前記ベース部材の偏平外側面に固定されて、前記パイプクランプが挟持する前記水平鋼管と平行に延出している、仮設部材の浮上り防止具
【請求項２】
前記フック押え部材は、前記ベース部材の偏平外側面に１本のボルトとナットで固定され、この１本のボルトの周りで前記フック押え部材が回転するのを、前記ベース部材の偏平外側面から外向きに突設された突起と、この突起が嵌合するように前記フック押え部材に設けられた貫通孔とによって阻止している、請求項１に記載の仮設部材の浮上り防止具。
【考案の詳細な説明】
【技術分野】
【０００１】
仮設足場用枠組み構造体の水平鋼管に、備え付けのフックを引っ掛けて使用される仮設部材、例えば鋼製布板と称されるような足場板や梯子などが、風や振動などで不足に外れ落ちるのを防止する仮設部材の浮上り防止具に関するものである。
【背景技術】
【０００２】
仮設足場用枠組み構造体は、支柱鋼管と、２本の支柱鋼管どうしを所定の間隔で連結する水平鋼管、及びブレース材などによって組み立てられるもので、この仮設足場用枠組み構造体に組み込まれる足場板の長さ方向両端や梯子の上端には、適当位置にある前記水平鋼管に対し係脱自在なフックを備えている。一般的には安全対策として、前記フックには、水平鋼管に係合させたときに重力でフックの開口部を閉じる外れ止め部材が併設されている。
【考案の概要】
【考案が解決しようとする課題】
【０００３】
前記のように仮設部材のフックに備え付けられている外れ止め部材が完全に機能する状況にあるときはそれほど問題にならないが、指先に開放姿勢に切り換えた外れ止め部材を重力で閉塞姿勢に切り換えるものであるから、使用環境からどうしても免れない発錆などによって、外れ止め部材が円滑確実に動作することが保証されない。従って、前記外れ止め部材が開放姿勢のままになっているか又は、半分程度しか閉塞側に閉動していないことがあり、このような状況で台風や地震などによって、足場板や梯子などの仮設部材が浮き上がるような動きをすると、フックが外れて仮設部材が落下するような事故につながる恐れがあった。
【課題を解決するための手段】
【０００４】
本考案は、上記のような従来の問題点を解消することのできる仮設部材の浮上り防止具を提案するものであって、本考案に係る仮設部材の浮上り防止具は、後述する実施例との関係を理解し易くするために、当該実施例の説明において使用した参照符号を括弧付きで付して示すと、仮設足場用枠組み構造体(2)の水平鋼管(5)に係脱自在なフック(8a〜9d)を備えた仮設部材（足場板(1)など）の浮上り防止具(14)であって、前記フック(8a〜9d)に隣り合う位置で前記水平鋼管(5)に取り付けられるパイプクランプ(15)と、このパイプクランプ(15)に取り付けられたフック押え部材(16)とから成り、前記パイプクランプ(15)は、前記水平鋼管(5)を挟むベース部材(17)と円弧形押え部材(19)、及び締結用ボルトナット(21a,21b)から成り、前記フック押え部材(16)は、パイプクランプ(15)の前記ベース部材(17)の偏平外側面に固定されて、前記パイプクランプ(15)が挟持する前記水平鋼管(5)と平行に延出する構成になっている。
【考案の効果】
【０００５】
上記本考案の仮設部材の浮上り防止具は、仮設部材のフックを仮設足場用枠組み構造体の水平鋼管に係合させて仮設し終わった後に、前記パイプクランプを前記フックに隣り合う位置で前記水平鋼管に、そのフック押え部材が前記フックの上側に被さる向きで取り付けることができる。この仮設部材の浮上り防止具の取り付けによって、前記フック押え部材が仮設部材のフックの上に被さることになり、仮に、フックが備えている外れ止め部材が正常な閉塞姿勢になっていなくとも、風圧や振動などによって仮設部材を支持している水平鋼管からフックが浮き上がって外れてしまうような事態を確実に防止でき、安全性を格段に向上させることができる。
【０００６】
足場板や梯子には、仮設足場用枠組み構造体の水平鋼管に係止させる端部には、通常左右一対のフックが取り付けられるので、好ましくは、フックごとに本考案の浮上り防止具を使用するのが望ましいが、少なくとも１つのフックにのみ本考案の浮上り防止具を使用しても良い。又、足場板の場合、この足場板を直列させるように配置して足場板の全長を延長したり、足場板を巾方向に並列配置して、足場板の巾を広げることが行われる。このような足場板使用状態では、１本の水平鋼管に２つのフック又は最大４つのフックが水平鋼管長さ方向に小間隙を隔てて並列することになる。このような場合を想定して、前記フック押え部材のパイプクランプから延出する長さを、水平鋼管長さ方向に小間隙を隔てて並列する最大４つのフックに被さることができる長さとすることにより、本考案の仮設部材の浮上り防止具を効率よく活用できる。
【０００７】
尚、前記フック押え部材(16)は、前記ベース部材(17)の偏平外側面(17a)に溶接により所定向きに固着することができるが、溶接作業に代えてボルトナットを使用することもできる。この場合、前記フック押え部材(16)を前記ベース部材(17)の偏平外側面に１本のボルト(22a)とナット(22b)で固定し、この１本のボルト(22a)の周りで前記フック押え部材(16)が回転するのを、前記ベース部材(17)の偏平外側面(17a)から外向きに突設された突起(23a,23b)と、この突起(23a,23b)が嵌合するように前記フック押え部材(16)に設けられた貫通孔(24a,24b)とによって阻止するように構成すれば、複数本のボルトナットを使用しなくて済み、コストダウンを図ることができる。
【図面の簡単な説明】
【０００８】
【図１】図１は、仮設足場用枠組み構造体に組み込まれた足場板（鋼製布板）を示す概略平面図である。
【図２】図２は、足場板（鋼製布板）に設けられたフックが水平鋼管に嵌合する前の外れ止め部材を示す側面図である。
【図３】図３は、同上フックが水平鋼管に嵌合したときの外れ止め部材を示す側面図である。
【図４】図４は、本考案の仮設部材の浮上り防止具を示す一部縦断側面図である。
【図５】図５は、同上浮上り防止具を示す正面図である。
【図６】図６は、同上浮上り防止具を示す平面図である。
【図７】図７は、図１に示す、４つのフックが１本の水平鋼管に並列して嵌合している場所での本考案の仮設部材の浮上り防止具の使用状態を示す一部縦断側面図である。
【図８】図８は、同上平面図である。
【図９】図９は、同上正面図である。
【考案を実施するための形態】
【０００９】
図１に基づいて、足場板１を備えた仮設足場用枠組み構造体２を説明すると、枠組み構造体２は、構築物３に沿うように当該構築物３の外側に仮設されるもので、枠組み構造体２の長さ方向に適当間隔おきに配置された前後一対の支柱鋼管４ａ，４ｂと、この前後一対の支柱鋼管４ａ，４ｂどうしを上下方向適当間隔おきの位置で連結一体化する短尺の巾方向連結用水平鋼管５、この巾方向連結用水平鋼管５と同一高さで内側支柱鋼管４ａどうしを連結一体化する長尺の内側連結用水平鋼管６、及び前記巾方向連結用水平鋼管５と同一高さで外側支柱鋼管４ｂどうしを連結一体化する長尺の外側連結用水平鋼管７から構成されている。又、従来周知のように、前後一対の支柱鋼管４ａ，４ｂどうしを斜めに連結一体化する補強用ブレース材、内側支柱鋼管４ａどうしを斜めに連結一体化する補強用ブレース材、外側支柱鋼管４ｂどうしを斜めに連結一体化する補強用ブレース材などが必要に応じて組み込まれる。
【００１０】
足場板１は、隣り合う巾方向連結用水平鋼管５にそれぞれ両端が支持される細巾鋼製布板８と巾広鋼製布板９によって構成されるものであって、各鋼製布板８，９は、その両端それぞれに一対のフック８ａ，８ｂと８ｃ，８ｄ、及び一対のフック９ａ，９ｂと９ｃ，９ｄが突設され、これらフック８ａ〜９ｄを、同一高さにある巾方向連結用水平鋼管５に嵌合係止させることにより、各鋼製布板８，９を水平に架設することができるように構成されている。又、これらフック８ａ〜９ｄは、細巾鋼製布板８又は巾広鋼製布板９を、左右巾方向に位置をずらさないで直列させて支持させることができるように、一端のフック８ａ，８ｂ／９ａ，９ｂ間の間隔を広くし、他端のフック８ｃ，８ｄ／９ｃ，９ｄ間の間隔を狭くしているが、間隔を同じにして、一端のフック８ａ，８ｂ／９ａ，９ｂに対して他端のフック８ｃ，８ｄ／９ｃ，９ｄを左右巾方向の一方に少しずらせることもできる。何れの構成においても、細巾鋼製布板８／巾広鋼製布板９を、左右巾方向に位置をずらさないで直列させて支持させた場合、図示のように直列する細巾鋼製布板８間及び巾広鋼製布板９間では、それぞれ一対のフック８ａ，８ｂと８ｃ，８ｄ、及びそれぞれ一対のフック９ａ，９ｂと９ｃ，９ｄが、巾方向連結用水平鋼管５上で互いに干渉しない程度に、当該巾方向連結用水平鋼管５の長さ方向に２枚ずつ隣り合うように並列することになり、並列する鋼製布板８，９が直列方向に隣り合う箇所では、４つのフック８ａ，８ｂ，９ｂ，９ｄが隣り合うように並列する箇所もある。
【００１１】
前記フック８ａ〜９ｄは従来周知のものであって、図２及び図３では、前記フック８ａ〜９ｄのそれぞれをフック１０と略称している。これらフック１０は、板材を裁断して形成されたもので、その基部側面に、同様に板材を円弧形に裁断して形成された外れ止め部材１１が取り付けられている。この外れ止め部材１１は、上下２本のピン１２ａ，１２ｂによってフック１０の基部側面に取り付けられているが、当該２本のピン１２ａ，１２ｂが貫通しているガイド孔１３は、ほぼＬ字形であって、上半部の縦長部分１３ａの中間外側辺に上側のピン１２ａが嵌脱自在な係止凹部１３ｂを備えている。図２に示すように、上側のピン１２ａが係止凹部１３ｂに嵌合し、下側のピン１２ｂがガイド孔１３の下端付近に位置しているとき、外れ止め部材１１は、その下端外れ止め突起部１１ａがフック１０の鋼管嵌合凹部１０ａの下側から横側方に退避した開放姿勢にあって、この開放姿勢は、外れ止め部材１１に作用する重力によって保持されている。外れ止め部材１１が図２に示す開放姿勢にあるとき、当該外れ止め部材１１の上端突曲縁部１１ｂが、フック１０の鋼管嵌合凹部１０ａ内に突出している。
【００１２】
従って、図２に示すように、巾方向連結用水平鋼管５に対してフック１０が上から被せられるとき、当該フック１０の鋼管嵌合凹部１０ａ内に相対的に上向きに嵌入することになる水平鋼管５が開放姿勢にある外れ止め部材１１の上端突曲縁部１１ａを外側へ押し出すことになる。その結果、外れ止め部材１１が下側のピン１２ｂを支点に図２の反時計方向に回転せしめられ、上側のピン１２ａが外れ止め部材１１係止凹部１３ｂから外れると、外れ止め部材１１が重力で下方へ滑動し、上側のピン１２ａがガイド孔１３の上端に達したとき、図３に示すように、外れ止め部材１１は、その下端外れ止め突起部１１ａがフック１０の鋼管嵌合凹部１０ａの下側に入り込む閉塞姿勢に切り換わっている。このときには、水平鋼管５はフック１０の鋼管嵌合凹部１０ａ内に完全に入り込んだ位置にあり、当該水平鋼管５の下側に外れ止め部材１１の下端外れ止め突起部１１ａが位置している。この状態では、フック１０が水平鋼管５から上方に離脱するためには、外れ止め部材１１が上側のピン１２ａを支点に時計方向に開動しなければならないが、この開動は、下側のピン１２ｂがガイド孔１３の屈曲部直上位置の巾が狭まった箇所にあるため、当該下側ピン１２ｂによって抑止される。換言すれば、フック１０が水平鋼管５から上方に外れることは、外れ止め部材１１によって確実に阻止されている。水平鋼管５に端部がフック１０を介して支持されている鋼製布板８，９を取り外すときは、指先で外れ止め部材１１を上に押し上げながら開動させた状態で、鋼製布板８，９の端部を持ち上げてフック１０を水平鋼管５から上方に離脱させれば良い。
【００１３】
次に本考案に係る仮設部材の浮上り防止具の実施例を、図４〜図６に基づいて説明すると、本考案に係る仮設部材の浮上り防止具１４は、前記仮設足場用枠組み構造体１の巾方向連結用水平鋼管５に取り付け可能なサイズの従来周知のパイプクランプ１５と、このパイプクランプ１５に取り付けられたフック押え部材１６とから成り、パイプクランプ１５は、前記水平鋼管５の周方向ほぼ半分の領域に嵌合するベース部材１７と、このベース部材１７の一端側に支軸１８により開閉自在に軸支された円弧形押え部材１９と、前記ベース部材１７の他端側に支軸２０により揺動自在に軸支された締結用ボルト２１ａとナット２１ｂから構成されている。円弧形押え部材１９の遊端部は、締結用ボルト２１ａが支軸２０の周りでの揺動を伴って嵌合離脱自在な二股形に構成されており、この二股形遊端部１９ａに締結用ボルト２１ａを嵌合させた状態でナット２１ｂを締め込んで、当該ナット２１ｂにより円弧形押え部材１９をベース部材１７側に押圧することにより、前記水平鋼管５をベース部材１７と円弧形押え部材１９との間で挟持固定できるように構成されている。
【００１４】
前記フック押え部材１６は、帯状の厚板の一端側に取付け用偏平部１６ａが設けられ、この取付け用偏平部１６ａから他端までの領域が、前記取付け用偏平部１６ａに対し一段高く位置するフック押え用帯板部１６ｂとなっている。このフック押え部材１６は、パイプクランプ１５のベース部材１７の偏平外側面１７ａに取付け用偏平部１６ａが１本のボルト２２ａとナット２２ｂで固定され、この１本のボルト２２ａの周りでフック押え部材１６が回転するのを、ベース部材１７の偏平外側面１７ａから外向きに突設された２つの突起２３ａ，２３ｂと、これら突起２３ａ，２３ｂが嵌合するように前記取付け用偏平部１６ａに設けられた２つの貫通孔２４ａ，２４ｂとによって阻止する構造となっている。このようにパイプクランプ１５に取り付けられたフック押え部材１６は、そのパイプクランプ１５から片側に延出するフック押え用帯板部１６ｂが、パイプクランプ１５が固定された前記水平鋼管５と平行に位置するように構成されている。
【００１５】
以上のように構成された仮設部材の浮上り防止具１４の使用方法を、図１に示す合計４つのフック８ｂ，８ｄ，９ａ，９ｃが１つの水平鋼管５上に互いに隣接状態で並列する箇所に適用する場合について説明すると、図７〜図９に示すように、前記４つのフック８ｂ，８ｄ，９ａ，９ｃが並列する領域の片側、例えばフック９ｃの外側においてパイプクランプ１５のベース部材１７を、フック押え部材１６のフック押え用帯板部１６ｂが並列する４つのフック８ｂ，８ｄ，９ａ，９ｃの全ての上側に被さるように、水平鋼管５に上から嵌合させる。換言すれば、フック押え部材１６のフック押え用帯板部１６ｂがパイプクランプ１５から横側方に延出する長さは、並列する４つのフック８ｂ，８ｄ，９ａ，９ｃの全ての上側に被せることができる長さとなっている。この後、先に説明したように、パイプクランプ１５の円弧形押え部材１９を上向きに閉動させて水平鋼管５の下側に被せ、締結用ボルト２１ａとナット２１ｂとで円弧形押え部材１９をベース部材１７側に締め付けて、水平鋼管５にパイプクランプ１５を固定すれば完了となる。
【００１６】
勿論、本考案の仮設部材の浮上り防止具１４は、単独で水平鋼管５に嵌合している１つのフックに対しても使用することができるし、互いに隣接する状態で水平鋼管５に嵌合している２つのフックに対しても使用することができる。このように、本考案の仮設部材の浮上り防止具１４を、図１に示す足場板１の全てのフック８ａ〜８ｄ，９ａ〜９ｄの、或いは選択した特定のフックの、浮上り防止のために使用することにより、仮に各フックが、図２及び図３に基づいて説明した外れ止め部材１１を備えていても、当該外れ止め部材１１が発錆などの経年劣化などによって正常に機能しない、例えば外れ止め部材１１が図２に示す開放姿勢と図３に示す閉塞姿勢との中間位置で止まっているような状況にあるときに、台風や地震などの自然災害によって足場板１が上向きに浮き上がるような事態になったとき、フックの上に被さっているフック押え部材１６がパイプクランプ１５によって水平鋼管５に強固に固定されているので、フックが水平鋼管５から上向きに浮き上がるのをフック押え部材１６によって確実に防止することができ、足場板１を構成している鋼製布板８，９が仮設足場用枠組み構造体２から外れ落ちるような事故を未然に防止できる。
【００１７】
尚、本考案の仮設部材の浮上り防止具１４は、足場板１のフックに対してだけでなく、仮設足場用枠組み構造体２の水平鋼管５〜７などにフックによって引っ掛けられた状態で使用される梯子、その他の仮設部材の外れ止め手段として活用できる。
【産業上の利用可能性】
【００１８】
本考案の仮設部材の浮上り防止具は、仮設足場用枠組み構造体の水平鋼管に備え付けのフックを引っ掛けて使用される足場板や梯子などの各種仮設部材の浮上り防止手段として活用することが出来る。
【符号の説明】
【００１９】
１    足場板
２    仮設足場用枠組み構造体
３    構築物
４ａ，４ｂ    前後一対の支柱鋼管
５    巾方向連結用水平鋼管
６    内側連結用水平鋼管
７    外側連結用水平鋼管
８    細巾鋼製布板
８ａ〜８ｄ，９ａ〜９ｄ，１０    フック
９    巾広鋼製布板
１０ａ    鋼管嵌合凹部
１１    外れ止め部材
１１ａ    下端外れ止め突起部
１１ｂ    上端突曲縁部
１２ａ，１２ｂ    ピン
１３    ガイド孔
１３ａ    上半部の縦長部分
１３ｂ    係止凹部
１４    仮設部材の浮上り防止具
１５    パイプクランプ
１６    フック押え部材
１６ａ    取付け用偏平部
１６ｂ    フック押え用帯板部
１７    ベース部材
１７ａ    偏平外側面
１８，２０    支軸
１９    円弧形押え部材
１９ａ    二股形遊端部
２１ａ    締結用ボルト
２１ｂ    ナット
２２ａ    ボルト
２２ｂ    ナット
２３ａ，２３ｂ    突起
２４ａ，２４ｂ    貫通孔
【図１】
0003233589.tif 000003
【図２】
0003233589.tif 000004
【図３】
0003233589.tif 000005
【図４】
0003233589.tif 000006
【図５】
0003233589.tif 000007
【図６】
0003233589.tif 000008
【図７】
0003233589.tif 000009
【図８】
0003233589.tif 000010
【図９】
0003233589.tif 000011